(57)【要約】【課題】微小変倍した際の記録媒体上の画像形成を再現性よく行う技術を提供する。【解決手段】カラー複写機１００は、入力操作手段１４などから画像に係る変倍率を設定し、画像処理手段３１において画像入力手段１１などから入力される多値デジタル画像信号Ｄｉｎをアナログ画像信号に変換し、その設定された変倍率に基づいたサンプリング周波数で再サンプリングしてデジタル変換して得られる変倍率に応じた多値デジタル画像信号を元に、画像形成手段６０で画像形成する。【選択図】図３
2007295486.tif 000002
【特許請求の範囲】
【請求項１】
入力される多値デジタル画像信号に基づいて画像形成を行う画像形成装置において、
前記入力される多値デジタル画像信号に基づいて形成される画像の変倍率を設定する変倍率設定手段と、
前記入力される多値デジタル画像信号をアナログ画像信号に変換し、前記変倍率設定手段で設定される変倍率に応じたサンプリング周波数で前記アナログ画像信号を再サンプリングしてデジタル変換し、前記変倍率設定手段で設定された変倍率の画像を形成する多値デジタル画像信号を出力する変換手段と、
を備えたことを特徴とする画像形成装置。
【請求項２】
前記変換手段は、半導体集積回路であることを特徴とする請求項１に記載の画像形成装置。
【請求項３】
入力される多値デジタル画像信号に対して画像処理を行う画像処理装置において、
前記入力される多値デジタル画像信号に基づく画像における変倍率を設定する変倍率設定手段と、
前記入力される多値デジタル画像信号をアナログ画像信号に変換し、前記変倍率設定手段で設定される変倍率に応じたサンプリング周波数で前記アナログ画像信号を再サンプリングしてデジタル変換し、前記変倍率設定手段で設定された変倍率の画像を再現する多値デジタル画像信号を出力する変換手段と、
を備えたことを特徴とする画像処理装置。
【請求項４】
前記変換手段は、半導体集積回路であることを特徴とする請求項３に記載の画像処理装置。
【請求項５】
入力される多値デジタル画像信号に基づいて画像形成を行う画像形成方法であって、
前記入力される多値デジタル画像信号に基づいて形成される画像の変倍率を設定する変倍率設定工程と、
前記入力される多値デジタル画像信号をアナログ画像信号に変換し、前記変倍率設定工程で設定される変倍率に応じたサンプリング周波数で前記アナログ画像信号を再サンプリングしてデジタル変換し、前記変倍率設定工程で設定された変倍率の画像を形成する多値デジタル画像信号に変換する変換工程と、
を有することを特徴とする画像形成方法。
【発明の詳細な説明】
【技術分野】
【０００１】
本発明は、画像形成装置、画像処理装置及び画像形成方法に関する。
【背景技術】
【０００２】
従来から、入力される画像データに基づいて、複数の発光ダイオード素子（Light  Emitting  Diode：以下LEDという）がライン状に配置されたＬＥＤヘッド書き込み光学系により感光体ドラムに静電潜像を形成し、その静電潜像にトナーを付着して形成されたトナー像を紙などの記録媒体に転写させて定着させることで画像を形成する画像形成装置がある。
【０００３】
この画像形成装置においては、片面に画像を形成した際に、定着処理による熱収縮のため当該記録媒体が収縮することが知られている。この熱収縮による画像サイズの縮小率は、通常０．５％以下と小さい値であり、主走査方向においては画素単位レベルの微細なものである。
【０００４】
このため、上述した画像形成装置においては、使用状況に応じて画素単位の微小な変倍処理を施す必要があった。特に両面に画像形成を行う場合は、熱収縮対策として微細な変倍処理を行い、表面に対して裏面の画像を微小縮小して画像形成する必要がある。
【０００５】
この微小な変倍処理について、例えば、特許文献１には、ＬＥＤヘッド書き込み光学系を備えた画像形成装置で画素を間引いて縮小画像を形成する際に、画素を間引くだけでなくその隣接画素を中間調に調整することで再現性を良好にする技術が開示されている。
【特許文献１】特開２００４−２０７９５０号公報
【発明の開示】
【発明が解決しようとする課題】
【０００６】
ところで、ライン状に配置されたＬＥＤヘッド書き込み光学系を備えた画像形成装置においては、画像形成すべき画像情報における色合いや濃さの再現を、その画像情報である多値デジタル画像信号に基づいて書き込み素子を駆動させることで、その多値デジタル画像信号に応じた濃さの画素を記録媒体に形成して画像形成を行う構成である。このため、上述した従来技術では、隣接画素の中間調に固定的に調整されてしまうため、微小変倍して画像形成した際などにおいて十分な再現性を得られるものではなかった。
【０００７】
本発明の課題は、上記従来技術の問題点に鑑みてなされたものであって、微小変倍した際の記録媒体上の画像形成を再現性よく行う技術を提供することである。
【課題を解決するための手段】
【０００８】
上記課題を解決するために、請求項１に記載の発明は、入力される多値デジタル画像信号に基づいて画像形成を行う画像形成装置において、前記入力される多値デジタル画像信号に基づいて形成される画像の変倍率を設定する変倍率設定手段と、前記入力される多値デジタル画像信号をアナログ画像信号に変換し、前記変倍率設定手段で設定される変倍率に応じたサンプリング周波数で前記アナログ画像信号を再サンプリングしてデジタル変換し、前記変倍率設定手段で設定された変倍率の画像を形成する多値デジタル画像信号を出力する変換手段と、を備えたことを特徴とする。
【０００９】
請求項２に記載の発明は、請求項１に記載の発明において、前記変換手段は、半導体集積回路であることを特徴とする。
【００１０】
請求項３に記載の発明は、入力される多値デジタル画像信号に対して画像処理を行う画像処理装置において、前記入力される多値デジタル画像信号に基づく画像における変倍率を設定する変倍率設定手段と、前記入力される多値デジタル画像信号をアナログ画像信号に変換し、前記変倍率設定手段で設定される変倍率に応じたサンプリング周波数で前記アナログ画像信号を再サンプリングしてデジタル変換し、前記変倍率設定手段で設定された変倍率の画像を再現する多値デジタル画像信号を出力する変換手段と、を備えたことを特徴とする。
【００１１】
請求項４に記載の発明は、請求項３に記載の発明において、前記変換手段は、半導体集積回路であることを特徴とする。
【００１２】
請求項５に記載の発明は、入力される多値デジタル画像信号に基づいて画像形成を行う画像形成方法であって、前記入力される多値デジタル画像信号に基づいて形成される画像の変倍率を設定する変倍率設定工程と、前記入力される多値デジタル画像信号をアナログ画像信号に変換し、前記変倍率設定工程で設定される変倍率に応じたサンプリング周波数で前記アナログ画像信号を再サンプリングしてデジタル変換し、前記変倍率設定工程で設定された変倍率の画像を形成する多値デジタル画像信号に変換する変換工程と、を有することを特徴とする。
【発明の効果】
【００１３】
本発明によれば、入力される多値デジタル画像信号をアナログ画像信号に変換して、変倍率に応じたサンプリング周波数で再サンプリングしてデジタル変換することができ、アナログ画像信号での変倍により隣接画素間のデータの連続性を確保した変倍を行うことができるため、ノイズ感や画像荒れの発生を抑えた再現性の良い画像を出力することができる。
【発明を実施するための最良の形態】
【００１４】
以下、この発明の実施の形態について、図１〜図９を参照して説明するが、この発明は以下の実施の形態に限定しない。また、この発明の実施の形態は発明の最も好ましい形態を示すものであり、発明の用途や用語はこれに限定するものではない。
【００１５】
図１は、本発明であるカラー複写機１００の内部構成を示す外観図である。図２は、ＬＥＤ書き込みユニット３Ｙ及びその周辺回路の構成を例示する斜視図である。図３は、カラー複写機１００の制御系の構成を模式的に示すブロック図である。図４は、Ｙ、Ｍ、Ｃ、ＢＫ各色用の各々の書き込みユニット及びその周辺回路の構成を例示するブロック図である。図５は、Ｙ色系の画像移入力及びＬＥＤ書き込みユニット３Ｙの制御例を示すブロック図である。図６は、変倍処理手段３９の機能的構成を模式的に示すブロック図である。図７は、変倍処理手段３９での画像信号の変換過程を例示する概念図である。図８は、カラー複写機１００の動作を例示するフローチャートである。図９（ａ）は、変倍処理を行わない場合のデジタル画像信号で画像形成した記録媒体Ｐ１の表面を例示する概念図であり、図９（ｂ）は、変倍処理を行った場合のデジタル画像信号で画像形成した記録媒体Ｐ２の表面を例示する概念図である。
【００１６】
先ず、カラー複写機１００の構成の概略について説明する。図１に示すように、カラー複写機１００は画像形成装置の一例であり、原稿３０に形成された色画像を読み取って画像情報を取得し、この画像情報に基づいて像形成体に色を重ね合わせて、色画像を形成する装置である。この画像形成装置は、カラー複写機１００の他にカラー用のプリンタやファクシミリ装置、これらの複合機等に適用してもよい。
【００１７】
カラー複写機１００は、複写機本体１０１を有している。複写機本体１０１の上部には、カラー用の画像入力手段１１及びＡＤＦ４０（自動原稿給紙装置）が配設されている。ＡＤＦ４０は、ＡＤＦモード時に、一又は複数の原稿３０を自動給紙するように動作する。ここにＡＤＦモードとは、ＡＤＦ４０に載置された原稿３０を自動給紙して原稿画像を自動的に読み取る動作をいう。
【００１８】
ＡＤＦ４０は、原稿載置部４１、ローラ４２ａ、ローラ４２ｂ、ローラ４３、搬送ローラ４４及び排紙皿４６を有している。原稿載置部４１には一又は複数の原稿３０が載置される。原稿載置部４１の下流側にはローラ４２ａ及びローラ４２ｂが設けられている。自動給紙モードが選択されたとき、原稿載置部４１から繰り出された原稿３０は、下流側のローラ４３によってＵ字回転するように搬送される。なお、ＡＤＦモードが選択された場合、原稿３０の記録面は原稿載置部４１で上に向けて載置するようになされる。
【００１９】
また、画像入力手段１１は、原稿３０に形成された色画像を読み取るように動作する。画像入力手段１１には、例えば、カラー用のスリットスキャン型のスキャナが使用される。画像入力手段１１にはアレイ状に配列されたイメージセンサ５８が備えられ、例えば、ＡＤＦモード時に、原稿３０がローラ４３によってＵ字状に反転するときに、その原稿３０の表面を読み取って画像読取信号Ｓｏｕｔを出力するようになされる。イメージセンサ５８には、例えば３ラインカラーＣＣＤ（Charge Coupled Devices）撮像装置が使用される。
【００２０】
イメージセンサ５８は、複数の受光素子列が主走査方向に配置されて構成される赤（Ｒ）色、緑（Ｇ）色及び青（Ｂ）色光検出用の３つの読み取りセンサが主走査方向と直交する副走査方向の異なる位置で画素を分割してＲ色、Ｇ色及びＢ色の光情報を同時に読み取るようになされる。
【００２１】
画像入力手段１１で読み取られた原稿３０は、搬送ローラ４４により搬送されて排紙皿４６へ排紙される。また、イメージセンサ５８は、プラテンモード時に、原稿３０を読み取って得たＲＧＢ色系の画像読取信号を出力するようになされる。ここにプラテンモードとは、プラテンガラス上に載置された原稿３０に光学駆動系を走査して原稿画像を自動的に読み取る動作をいう。
【００２２】
画像入力手段１１は、イメージセンサ５８の他に、第１のプラテンガラス５１、第２のプラテンガラス５２（ＡＤＦガラス）、光源５３、ミラー５４、５５、５６、結像光学部５７及び特に図示しない光学駆動部を有している。光源５３は、原稿３０に光を照射するように動作する。光学駆動部は原稿３０又はイメージセンサ５８を副走査方向に相対的に移動するように動作する。副走査方向とは、イメージセンサ５８を構成する複数の受光素子の配置方向を主走査方向としたとき、この主走査方向と直交する方向をいう。このように、ＡＤＦ４０の原稿載置部４１に載置された原稿３０は前述したローラ４２ａ、４２ｂ、４３及び搬送ローラ４４により搬送され、画像入力手段１１の光学系により原稿３０の片面又は両面の画像が走査露光され、画像読み取りを反映する入射光がイメージセンサ５８により読み込まれる。
【００２３】
イメージセンサ５８は、入射光を光電変換する。イメージセンサ５８には制御手段１５を介して画像処理手段３１が接続され、光電変換されたアナログの画像読取信号が画像処理手段３１において、アナログ処理、Ａ／Ｄ変換、シェーディング補正、画像圧縮処理及び変倍処理等がなされ、Ｒ色、Ｇ色、Ｂ色成分のデジタル画像信号となる。画像処理手段３１は、そのデジタル画像信号を３次元色情報変換テーブルによって、Ｙ、Ｍ、Ｃ、ＢＫ色用の多値デジタル画像信号Ｄｙ、Ｄｍ、Ｄｃ、Ｄｋに変換し、その色変換後の多値デジタル画像信号Ｄｙ、Ｄｍ、Ｄｃ、Ｄｋを画像形成手段６０を構成するＬＥＤ書き込みユニット３Ｙ、３Ｍ、３Ｃ、３Ｋへ転送する。
【００２４】
複写機本体１０１は、タンデム型のカラー画像形成装置と称せされるものである。複写機本体１０１には、画像形成手段６０が設けられている。画像形成手段６０は、画像入力手段１１により読み取って得た多値デジタル画像信号Ｄｙ、Ｄｍ、Ｄｃ、Ｄｋに基づいて色画像を形成する。画像形成手段６０には、色毎に像形成体を有する複数の画像形成ユニット１０Ｙ、１０Ｍ、１０Ｃ、１０Ｋと無終端状の中間転写体６と、この中間転写体６を記録媒体に転写したトナー像を定着するための定着装置１７とが備えられる。
【００２５】
イエロー（Ｙ）色の画像を形成する画像形成ユニット１０Ｙは、Ｙ色のトナー像を形成する像形成体としての感光体ドラム１Ｙと、感光体ドラム１Ｙの周囲に配置されたＹ色用の帯電手段２Ｙ、ＬＥＤ書き込みユニット３Ｙ、現像手段４Ｙ及び像形成体用のクリーニング手段８Ｙを有する。マゼンダ（Ｍ）色の画像を形成する画像形成ユニット１０Ｍは、Ｍ色のトナー像を形成する像形成体としての感光体ドラム１Ｍと、Ｍ色用の帯電手段２Ｍ、ＬＥＤ書き込みユニット３Ｍ、現像手段４Ｍ及び像形成体用のクリーニング手段８Ｍを有する。
【００２６】
シアン（Ｃ）色の画像を形成する画像形成ユニット１０Ｃは、Ｃ色のトナー像を形成する像形成体としての感光体ドラム１Ｃと、Ｃ色用の帯電手段２Ｃ、ＬＥＤ書き込みユニット３Ｃ、現像手段４Ｃ及び像形成体用のクリーニング手段８Ｃを有する。黒（ＢＫ）色の画像を形成する画像形成ユニット１０Ｋは、ＢＫ色のトナー像を形成する像形成体としての感光体ドラム１Ｋと、ＢＫ色用の帯電手段２Ｋ、ＬＥＤ書き込みユニット３Ｋ、現像手段４Ｋ及び像形成体用のクリーニング手段８Ｋを有する。
【００２７】
帯電手段２ＹとＬＥＤ書き込みユニット３Ｙ、帯電手段２ＭとＬＥＤ書き込みユニット３Ｍ、帯電手段２ＣとＬＥＤ書き込みユニット３Ｃ及び帯電手段２ＫとＬＥＤ書き込みユニット３Ｋは、中間転写体にに潜像画像を形成する。ＬＥＤ書き込みユニット３Ｙ、３Ｍ、３Ｃ、３Ｋには、画像形成すべき記録媒体の搬送方向（副走査方向）と直交する主走査方向にライン上に発光素子を配置したＬＥＤアレイヘッド光学系が使用される。現像手段４Ｙ、４Ｍ、４Ｃ、４Ｋによる現像は、使用するトナー極性と同極性（例えば負極性）の直流電圧に交流電圧を重畳した現像バイアスが印加される反転現像にて行われる。中間転写体６は、複数のローラにより巻き回され、回動可能に支持され、各々の感光体ドラム１Ｙ、１Ｍ、１Ｃ、１Ｋに形成されたＹ色、Ｍ色、Ｃ色、ＢＫ色のトナー像を転写するようになされる。
【００２８】
ここで、画像形成プロセスの概要について説明する。画像形成ユニット１０Ｙ、１０Ｍ、１０Ｃ、１０Ｋより形成された各色の画像は、使用するトナーと反対極性（例えば正極性）の１次転写バイアス（特に図示しない）が印加される１次転写ローラ７Ｙ、７Ｍ、７Ｃ、７Ｋにより、回動する中間転写体６上に逐次転写され、色を重ね合わせて合成されたカラー画像（色画像：カラートナー像）が形成される（１次転写）。
【００２９】
また、画像形成手段６０の下方には、当該画像形成手段６０に搬送する記録媒体を収容する給紙カセット２０Ａ、２０Ｂ、２０Ｃが設けられる。給紙カセット２０Ａ等に収容された記録媒体Ｐは、当該給紙カセット２０Ａ等に設けられた送り出しローラ２１及び給紙ローラ２２Ａにより給紙され、搬送ローラ２２Ｂ、２２Ｃ、２２Ｄ、レジストローラ２３等を経て、２次転写ローラ７Ａに搬送され、記録媒体Ｐ上の一方の面（表面）にカラー画像が中間転写体６から記録媒体Ｐへ一括して転写される（２次転写）。
【００３０】
カラー画像が転写された記録媒体Ｐは、定着装置１７により定着処理され、排紙ローラ２４に挟持されて機外の排紙トレイ２５上に載置される。転写後の感光体ドラム１Ｙ、１Ｍ、１Ｃ、１Ｋの周面上に残った転写残トナーは、クリーニング手段８Ｙ、８Ｍ、８Ｃ、８Ｋにより除去されて次の画像形成サイクルに入る。
【００３１】
両面画像形成時には、一方の面（表面）に画像形成された後、定着装置１７から排出された記録媒体Ｐが分岐手段２６により排紙路から分岐される。次いで、記録媒体Ｐは、下方の循環通紙路２７Ａを経て、再給紙機構（ＡＤＵ機構）である反転搬送路２７Ｂより表裏を反転され、再給紙搬送部２７Ｃを通過して、搬送ローラ２２Ｄから前述した転写経路に合流する。
【００３２】
なお、この記録媒体Ｐを搬送する構成においては、レジストローラ２３を記録媒体Ｐが通過する際に主走査方向における両端の長さや副走査方向の両端の長さを計測して制御手段１５に出力する透過型のフォトセンサなどのセンサ（特に図示しない）を有する。制御手段１５では、給紙カセット２０Ａ、２０Ｂ、２０Ｃ毎に予め設定された記録媒体Ｐのサイズと上述したセンサの出力とを比較し、表面に画像形成した場合の熱収縮などによるサイズ変化を検出する。制御手段１５は、そのサイズ変化に応じて裏面に形成する画像の微小変倍率や回転角などを設定する。例えば、レジストローラ２３において表面に画像形成する際の搬送時における記録媒体Ｐのサイズと裏面に画像形成する際の搬送時における記録媒体Ｐのサイズを検出し、その検出結果を比較して裏面に形成すべき画像の設定を行う構成である。
【００３３】
反転搬送された記録媒体Ｐは、レジストローラ２３を経て、再度２次転写ローラ７Ａに搬送され、記録媒体Ｐの他方の面（裏面）上にカラー画像（カラートナー像）が一括転写される。一方、２次転写ローラ７Ａにより記録媒体Ｐにカラー画像を転写した後、記録媒体Ｐを曲率分離した中間転写体６は、中間転写ベルト用のクリーニング手段８Ａにより残留トナーが除去される。
【００３４】
これら画像形成が行われる記録媒体Ｐとしては、５２．３〜６３．９ｋｇ／ｍ２（１０００枚）程度の薄紙や６４．０〜８１．４ｋｇ／ｍ２（１０００枚）程度の普通紙、８３．０〜１３０．０ｋｇ／ｍ２（１０００枚）程度の厚紙や１５０．０ｋｇ／ｍ２（１０００枚）程度の超厚紙が用いられる。記録媒体Ｐの厚み（紙厚）としては０．０５〜０．１５ｍｍ程度の厚さのものが用いられる。
【００３５】
ここで、画像を形成する画像形成ユニットの周辺構成について、ＬＥＤ書き込みユニット３Ｙの周辺を例に説明する。図２に示すように、ＬＥＤ書き込みユニット３Ｙは、感光体ドラム１Ｙに対峙した位置に設けられる。ＬＥＤ書き込みユニット３Ｙは、ＩＣ実装基板６４Ｙを有している。ＩＣ実装基板６４Ｙには、半導体集積回路（ＩＣ：Integrated Circuit）化されたレジスタアレイ６１Ｙ、ラッチ回路６２Ｙ及びＬＥＤヘッド６３Ｙが実装され、図示しないプリント配線等により結線されて構成される。ＬＥＤ書き込みユニット３Ｙ等には、例えばＡ４版の６００ｄｐｉの解像度で７５００画素の発光素子（ＬＥＤ）を主走査方向にライン状に配置したＬＥＤアレイヘッド光学ユニットが使用される。ＬＥＤアレイヘッド光学ユニットは、１ライン分の画像信号に基づいて各々の強度で１ライン分のＹ色ライン形成用のＬＥＤ光群を一度に発生する。
【００３６】
Ｙ色用のＬＥＤ光群は、感光体ドラム１Ｙの１ラインを一度に露光し、主走査方向にライン状に静電潜像を形成する。感光体ドラム１Ｙに形成されたライン状の静電潜像は、図１に示した現像手段４ＹがＹ色トナー部材によって現像される。現像手段４Ｙによって現像されたＹ色用のトナー像は中間転写体６に転写される。
【００３７】
次に、カラー複写機１００の制御系について説明する。図３に示すように、カラー複写機１００は、画像入力手段１１、制御手段１５、通信手段１９、給紙手段２０、画像処理手段３１、画像メモリ３６、操作パネル４８及び画像形成手段６０を有する。
【００３８】
制御手段１５は、ＲＯＭ３３（Read  Only  Memory）、ＣＰＵ３５（Central  Processing  Unit）及びワーク用のＲＡＭ３４（Random  Access  Memory）を有している。ＲＯＭ３３には当該複写機全体を制御するためのシステムプログラムデータが格納される。ＲＯＭ３３は、画像形成手段６０が記録媒体Ｐに形成する主走査方向／副走査方向の画素数（ライン数）などの装置固有の設定情報や、制御手段１５が実行可能なプログラムデータなどを格納する。ＲＡＭ３４は、両面モード実行時の制御コマンドの一時記憶や、後述する動作処理における作業用の格納領域を提供する。ＣＰＵ３５は、電源がオンされると、ＲＯＭ３３からシステムプログラムデータを読み出してシステムを起動させ、当該複写機全体を制御する。
【００３９】
操作パネル４８は、タッチパネルからなる入力操作手段１４及び液晶表示素子（ＬＣＤ）等である表示手段１８を有して構成され、制御手段１５の制御の下、操作画面の表示と設定の入力を受け付ける。入力操作手段１４は、上述の制御手段１５に接続され、画像形成手段６０によって画像が形成される記録媒体Ｐの紙種や片面又は両面への画像形成条件を入力するように操作される。入力操作手段１４では、この操作の他に、表面又は裏面に形成する画像の形状を微小変倍率やずれ量などで設定する操作入力が行われる。また、入力操作手段１４は、画像濃度の設定、用紙サイズの選択、複写枚数の設定等を入力するように操作される。
【００４０】
この例で、上述のＣＰＵ３５には、制御バス２８及びデータバス２９等のシステムが接続される。データバス２９には表示手段１８が接続される。この表示手段１８は、画像入力手段１１によって取得された多値デジタル画像信号Ｄｉｎに基づいて原稿３０を縮小してプレビューしたり、画像生成条件に係る選択項目等をＣＰＵ３５から送られる表示データＤ２に基づいて表示する。なお、操作パネル４８で設定された画像形成条件や給紙カセット選択情報等は、操作データＤ３としてＣＰＵ３５に出力される。
【００４１】
ＣＰＵ３５には、制御バス２８及びデータバス２９を介して不揮発メモリ３２が接続される。不揮発メモリ３２は、紙種−変倍率のテーブルデータである紙種別変倍情報３２１を格納する。紙種別変倍情報３２１は、入力操作手段１４により入力される紙種と当該用紙の熱収縮率等に対応する変倍率との対応関係を格納している。紙種別変倍情報３２１は、入力操作手段１４により入力される紙種と当該用紙の熱収縮率等に対応する変倍率との対応関係を格納している。具体的には、表１に示すような紙種＃Ｐ１〜＃Ｐｎに対する変倍率Ｍ１〜Ｍｎが記憶される。この例では、紙種＃Ｐ１等を入力すると、不揮発メモリ３２からその紙種＃Ｐ１等に対応した多値デジタル画像信号Ｄｃが読み出される。また、不揮発メモリ３２には、表面又は裏面に画像形成を行う際に検出された記録媒体Ｐのサイズ差に応じて設定する倍率を、予めテーブルデータとして格納する構成であってよい。
【００４２】
【表１】
2007295486.tif 000003
【００４３】
ＣＰＵ３５は、入力操作手段１４によって設定された変倍率又は微小変倍率に基づいて変倍処理の制御を実行する。この処理で、ＣＰＵ３５は、画像を縮小又は拡大する倍率である変倍率に基づいて、後述する画像処理手段３１での変倍を制御する。もちろん、ＣＰＵ３５が入力操作手段１４により入力された紙種に対応する変倍率を不揮発メモリ３２から読み出して変倍処理を実行しても良い。
【００４４】
例えば、ＣＰＵ３５は、紙種に対応する変倍率を紙種−変倍率テーブルにより求めて変倍処理の制御を実行する。この変倍処理によって、両面モード時の表裏倍率調整等の微小な倍率変化において、紙種に対応する熱収縮率が設定できるので、高精細な表裏倍率あわせを実行できるようになる。この様に、ＣＰＵ３５は、操作パネル４８によって設定された画像形成条件に基づいて画像メモリ３６等を制御したり、画像処理手段３１によって変倍処理された多値デジタル画像信号Ｄｙ、Ｄｍ、Ｄｃ、Ｄｋに基づいてカラー画像を形成するように画像形成手段６０を制御する。
【００４５】
上述の制御バス２８及びデータバス２９には、画像入力手段１１が接続される。画像入力手段１１には、図示しないアナログ・デジタル変換器が設けられている。画像入力手段１１は、読取制御信号Ｓ１に基づいて原稿３０から読み取って得たアナログの画像読取信号をＡ／Ｄ変換する。Ａ／Ｄ変換後のデジタルの多値デジタル画像信号Ｄｉｎは、制御バス２８及びデータバス２９に接続された画像メモリ３６に転送される。
【００４６】
多値デジタル画像信号Ｄｉｎは、メモリ制御信号Ｓ２に基づいて画像メモリ３６に格納される。画像メモリ３６には、ハードディスクや半導体記憶メモリなどが使用される。読取制御信号Ｓ１は、制御バス２８を介してＣＰＵ３５から画像入力手段１１へ出力され、メモリ制御信号Ｓ２は、同様にして、ＣＰＵ３５から画像メモリ３６に各々出力される。ＣＰＵ３５は、画像メモリ３６におけるデータの書き込み読み出し制御を実行する。
【００４７】
画像処理手段３１は、特に図示しないメモリに３次元色情報変換テーブルが予め格納されており、画像メモリ３６から読み出されたＲＧＢ色系の多値デジタル画像信号Ｄｏｕｔ（＝Ｄｒ、Ｄｇ、Ｄｂ）を画像処理制御信号Ｓ３に基づいてＹＭＣＫ色系の多値デジタル画像信号Ｄｙ、Ｄｍ、Ｄｃ、Ｄｋに色変換する。
【００４８】
画像処理手段３１は、画像形成手段６０のＬＥＤ書き込みユニット３Ｙ等にライン単位且つ画素単位に多値デジタル画像信号Ｄｙを供給する。画像処理手段３１は、デジタル画像信号に対して種々な画像変換処理をおこなうＤＳＰ（Digital  Signal  Processor）、ＲＡＭ及び後述するデジタル画像信号をアナログ画像信号に変換してＣＰＵ３５からの指示に基づいたサンプリングレートでデジタル画像信号に変換する変倍処理手段を有する。ＲＡＭには、ライン単位且つ画素単位に多値デジタル画像信号Ｄｙを供給するための作業領域が設けられ、画像処理されたデータが供給前に一時的に格納される。
【００４９】
上述の制御バス２８及びデータバス２９には画像形成手段６０が接続される。画像形成手段６０は、図１に示した画像形成ユニット１０Ｙ、１０Ｍ、１０Ｃ、１０Ｋから構成される。図３ではＹ色用の画像形成ユニット１０Ｙのみを示している。画像形成手段６０を構成する画像形成ユニット１０Ｙは、複数の発光体をライン状に配列したＬＥＤ書き込みユニット３Ｙ及び当該ＬＥＤ書き込みユニット３Ｙによって画像が形成される感光体ドラム１Ｙを有している。他のＭ色、Ｃ色、ＢＫ色用の画像形成ユニット１０Ｍ、１０Ｃ、１０Ｋ等については、画像形成ユニット１０Ｙと同様であるため、その説明を省略する。この例でＣＰＵ３５は、制御バス２８を介して画像形成手段６０に作像制御信号Ｓ４を出力する。
【００５０】
画像形成手段６０の例えばＹ色のＬＥＤ書き込みユニット３Ｙは、制御手段１５の制御の下、ライン単位のＹ色用の多値デジタル画像信号Ｄｙ及び作像制御信号Ｓ４の入力に応じて、感光体ドラム１ＹにＹ色用のトナー像を形成するように動作する。ＬＥＤ書き込みユニット３Ｙでは、１ライン分の多値デジタル画像信号Ｄｙに基づいて各々の強度で１ライン分のＹ色ライン形成用のＬＥＤ光群が一度に発生される。Ｙ色用のＬＥＤ光群は、感光体ドラム１Ｙの１ラインを一度に露光し、ライン上の静電潜像を形成する。感光体ドラム１Ｙに形成されたライン状の静電潜像は、図１で示した現像手段４ＹがＹ色トナー部材によって現像する。現像手段４Ｙによって現像されたＹ色用のトナー像は中間転写体６に転写される。
【００５１】
制御バス２８には給紙手段２０が接続され、ＣＰＵ３５は図１に示した給紙カセット２０Ａ〜２０Ｃを給紙制御信号Ｓ５に基づいて制御する。例えば、給紙手段２０は、給紙制御信号Ｓ５に基づいて給紙カセット２０Ａ、２０Ｂ又は２０Ｃのいずれかを選択し、給紙カセット２０Ａ、２０Ｂ又は２０Ｃから繰り出した記録媒体Ｐを画像形成手段６０に搬送する。給紙制御信号Ｓ５は、ＣＰＵ３５から給紙手段２０に供給される。
【００５２】
データバス２９には通信手段１９が接続される。通信手段１９は、ＬＡＮ（Local Area Network）等の通信回線に接続され、外部のコンピュータやプリンタ等と通信処理する際い使用される。例えば、通信手段１９は、カラー複写機１００で読み取った原稿画像を外部のプリンタ等により画像形成出力する場合に、多値デジタル画像信号Ｄｏｕｔ’を外部プリンタに送信する。なお、制御手段１５の制御の下、外部のコンピュータで作成された多値デジタル画像信号Ｄｉｎ’を受け付けて画像形成手段６０で両面印刷処理などを行う場合も通信手段１９の通信機能が利用される。
【００５３】
ここで、Ｙ、Ｍ、Ｃ、ＢＫ色用の各々のＬＥＤ書き込みユニット及びその周辺回路の構成について説明する。図４に示すように、ＣＰＵ３５には、画像処理手段３１が接続される。ＣＰＵ３５から画像処理手段３１には画像処理制御信号Ｓ３が供給される。画像処理手段３１は、Ｒ色、Ｇ色、Ｂ色成分のデジタルの多値デジタル画像信号Ｄｉｎ（＝Ｄｒ、Ｄｇ、Ｄｂ）を画像処理制御信号Ｓ３に基づいてＬＥＤ書き込み用の書き込みデータに変換する。例えば、多値デジタル画像信号Ｄｉｎを３次元色情報変換テーブルによって、Ｙ、Ｍ、Ｃ、ＢＫ色用の多値デジタル画像信号Ｄｙ、Ｄｍ、Ｄｃ、Ｄｋに変換する。
【００５４】
この例で画像処理手段３１は、ＬＥＤ書き込みユニット３Ｙのレジスタアレイ６１Ｙにライン単位且つ画素単位に多値デジタル画像信号Ｄｙを供給する。同様に、ＬＥＤ書き込みユニット３Ｍのレジスタアレイ６１Ｍにライン単位且つ画素単位に多値デジタル画像信号Ｄｍを供給する。同様に、ＬＥＤ書き込みユニット３Ｃのレジスタアレイ６１Ｃにライン単位且つ画素単位に多値デジタル画像信号Ｄｃを供給する。同様に、ＬＥＤ書き込みユニット３Ｋのレジスタアレイ６１Ｋにライン単位且つ画素単位に多値デジタル画像信号Ｄｋを供給する。
【００５５】
画像処理手段３１にはタイミング発生回路３８が接続される。画像処理手段３１はタイミング発生回路３８にタイミング発生制御信号Ｓ６を供給する。タイミング発生回路３８は、タイミング発生制御信号Ｓ６に基づいてＹ色用のレジスタ制御信号ＳＲｙ及びラッチ制御信号ＳＬｙと、Ｍ色用のレジスタ制御信号ＳＲｍ及びラッチ制御信号ＳＬｍと、Ｃ色用のレジスタ制御信号ＳＲｃ及びラッチ制御信号ＳＬｃと、ＢＫ色用のレジスタ制御信号ＳＲｋ及びラッチ制御信号ＳＬｋを各々発生する。
【００５６】
画像処理手段３１及びタイミング発生回路３８には、Ｙ、Ｍ、Ｃ、ＢＫ色用の各々のＬＥＤ書き込みユニット３Ｙ、３Ｍ、３Ｃ、３Ｋが接続される。ＬＥＤ書き込みユニット３Ｙは、レジスタアレイ６１Ｙ、ラッチ回路６２Ｙ及びＬＥＤヘッド６３Ｙを有している。上述の画像処理手段３１にはレジスタアレイ６１Ｙが接続され、レジスタ制御信号ＳＲｙに基づいて１ライン分のシリアルの多値デジタル画像信号Ｄｙを順次入力し、この多値デジタル画像信号Ｄｙを保持するようになされる。
【００５７】
レジスタアレイ６１Ｙにはラッチ回路６２Ｙが接続され、レジスタアレイ６１Ｙからパラレルに出力される多値デジタル画像信号Ｄｙをラッチ制御信号ＳＬｙに基づいてラッチするように動作する。ラッチ回路６２ＹにはＬＥＤヘッド６３Ｙが接続される。ＬＥＤヘッド６３ＹはＬＥＤヘッド駆動電源Ｖｙに接続される。ＬＥＤヘッド６３Ｙはラッチ回路６２Ｙから供給される、１ライン分の多値デジタル画像信号Ｄｙに基づいて各々の強度で１ライン分のＹ色ライン形成用のＬＥＤ光群を一度に発生する。
【００５８】
Ｙ色用のＬＥＤ光群は、感光体ドラム１Ｙの１ラインを一度に露光し、ライン状の静電潜像を形成する。感光体ドラム１Ｙに形成されたライン状の静電潜像は、図１に示した現像手段４Ｙによって、Ｙ色トナー部材により現像される。現像手段４Ｙによって現像されたＹ色用トナー像は中間転写体６に転写される。
【００５９】
ＬＥＤ書き込みユニット３Ｍは、レジスタアレイ６１Ｍ、ラッチ回路６２Ｍ及びＬＥＤヘッド６３Ｍを有している。上述の画像処理手段３１にはレジスタアレイ６１Ｍが接続され、レジスタ制御信号ＳＲｍに基づいて１ライン分のシリアルの多値デジタル画像信号Ｄｍを順次入力し、この多値デジタル画像信号Ｄｍを保持するようになされる。
【００６０】
レジスタアレイ６１Ｍにはラッチ回路６２Ｍが接続され、レジスタアレイ６１Ｍからパラレルに出力される多値デジタル画像信号Ｄｍをラッチ制御信号ＳＬｍに基づいてラッチするように動作する。ラッチ回路６２ＭにはＬＥＤヘッド６３Ｍが接続される。ＬＥＤヘッド６３ＭはＬＥＤヘッド駆動電源Ｖｍに接続される。ＬＥＤヘッド６３Ｍはラッチ回路６２Ｍから供給される、１ライン分の多値デジタル画像信号Ｄｍに基づいて各々の強度で１ライン分のＭ色ライン形成用のＬＥＤ光群を一度に発生する。
【００６１】
Ｍ色用のＬＥＤ光群は、感光体ドラム１Ｍの１ラインを一度に露光し、ライン状の静電潜像を形成する。感光体ドラム１Ｍに形成されたライン状の静電潜像は、図１に示した現像手段４Ｍによって、Ｍ色トナー部材により現像される。現像手段４Ｍによって現像されたＭ色用のトナー像は中間転写体６に転写される。
【００６２】
ＬＥＤ書き込みユニット３Ｃは、レジスタアレイ６１Ｃ、ラッチ回路６２Ｃ及びＬＥＤヘッド６３Ｃを有している。上述の画像処理手段３１にはレジスタアレイ６１Ｃが接続され、レジスタ制御信号ＳＲｃに基づいて１ライン分のシリアルの多値デジタル画像信号Ｄｃを順次入力し、この多値デジタル画像信号Ｄｃを保持するようになされる。
【００６３】
レジスタアレイ６１Ｃにはラッチ回路６２Ｃが接続され、レジスタアレイ６１Ｃからパラレルに出力される多値デジタル画像信号Ｄｃをラッチ制御信号ＳＬｃに基づいてラッチするように動作する。ラッチ回路６２ＣにはＬＥＤヘッド６３Ｃが接続される。ＬＥＤヘッド６３ＣはＬＥＤヘッド駆動電源Ｖｃに接続される。ＬＥＤヘッド６３Ｃはラッチ回路６２Ｃから供給される、１ライン分の多値デジタル画像信号Ｄｃに基づいて各々の強度で１ライン分のＣ色ライン形成用のＬＥＤ光群を一度に発生する。
【００６４】
Ｃ色用のＬＥＤ光群は、感光体ドラム１Ｃの１ラインを一度に露光し、ライン状の静電潜像を形成する。感光体ドラム１Ｃに形成されたライン状の静電潜像は、図１に示した現像手段４Ｃによって、Ｃ色トナー部材により現像される。現像手段４Ｃによって現像されたＣ色用のトナー像は中間転写体６に転写される。
【００６５】
ＬＥＤ書き込みユニット３Ｋは、レジスタアレイ６１Ｋ、ラッチ回路６２Ｋ及びＬＥＤヘッド６３Ｋを有している。上述の画像処理手段３１にはレジスタアレイ６１Ｋが接続され、レジスタ制御信号ＳＲｋに基づいて１ライン分のシリアルの多値デジタル画像信号Ｄｋを順次入力し、この多値デジタル画像信号Ｄｋを保持するようになされる。
【００６６】
レジスタアレイ６１Ｋにはラッチ回路６２Ｋが接続され、レジスタアレイ６１Ｋからパラレルに出力される多値デジタル画像信号Ｄｋをラッチ制御信号ＳＬｋに基づいてラッチするように動作する。ラッチ回路６２ＫにはＬＥＤヘッド６３Ｋが接続される。ＬＥＤヘッド６３ＫはＬＥＤヘッド駆動電源Ｖｋに接続される。ＬＥＤヘッド６３Ｋはラッチ回路６２Ｋから供給される、１ライン分の多値デジタル画像信号Ｄｋに基づいて各々の強度で１ライン分のＢＫ色ライン形成用のＬＥＤ光群を一度に発生する。
【００６７】
ＢＫ色用のＬＥＤ光群は、感光体ドラム１Ｋの１ラインを一度に露光し、ライン状の静電潜像を形成する。感光体ドラム１Ｋに形成されたライン状の静電潜像は、図１に示した現像手段４Ｋによって、ＢＫ色トナー部材により現像される。現像手段４Ｋによって現像されたＢＫ色用のトナー像は中間転写体６に転写される。中間転写体６に転写されたトナー像は、所定の記録媒体Ｐに転写され、カラー画像を形成するようになる。
【００６８】
ここで、カラー複写機１００において、画像入力手段１１から入力した画像を変倍してＹ色の画像形成行う制御構成について説明する。なお、他のＭ色、Ｃ色、ＢＫ色については、上述した構成と同様であるため、その説明を省略する。
【００６９】
図５に示すように、カラー複写機１００では、入力操作手段１４からＣＰＵ３５に変倍率を設定するようになされる。例えば、定着時の熱収縮などを解消するため、表面と裏面とに形成する画像を調整する微小変倍率などは、９９％〜１０１％の範囲、つまり、１００±１％の範囲で設定され、操作データＤ３となって入力操作手段１４からＣＰＵ３５に出力される。なお、この変倍率の設定は、入力操作手段１４から選択指示された紙種別などに応じて紙種別変倍情報３２１の内容に応じて設定されてよい。また、制御手段１５の制御の下、原稿３０が画像入力手段１１により読み取られる。
【００７０】
ＣＰＵ３５は、原稿３０の例えば、Ｙ色用の多値デジタル画像信号Ｄｙを変倍率９９％〜１０１％の範囲で変倍処理制御を実行する。変倍率は、入力操作手段１４の指示などにより設定される値であり、両面モード時等における記録媒体Ｐの熱収縮に相当する値である。例えば、１００±０．５％で０．１％刻みに変倍処理制御を実行する。
【００７１】
画像処理手段３１は、変倍処理手段３９と可変周波数発振器ＰＬＬを有する。可変周波数発振器ＰＬＬ（Phase  Locked  Loop）は、ＣＰＵ３５の指示に応じた周波数の信号を出力する構成であり、上述した変倍率に応じたＣＰＵ３５からの指示によるクロック信号ｆを変倍処理手段３９に出力する。
【００７２】
変倍処理手段３９は、多値デジタル画像信号Ｄｉｎを３次元色情報変換テーブルによって、Ｙ、Ｍ、Ｃ、ＢＫ色用の多値デジタル画像信号Ｄｙ、Ｄｍ、Ｄｃ、Ｄｋに変換した後に、ＣＰＵ３５から入力される画像処理制御信号Ｓ３と可変周波数発振器ＰＬＬか入力されるクロック信号ｆとに基づいて変倍処理を実行する。この変倍処理によって、多値デジタル画像信号Ｄｙが多値デジタル画像信号Ｄｙ’に変換される。
【００７３】
ここで、変倍処理手段３９での変倍処理について詳細に説明する。図６に示すように、変倍処理手段３９は、ラッチ／バッファ３９１、密度変換部３９２、Ｄ／Ａ変換部３９３、ローパスフィルタ３９４、Ｓ／Ｈ部３９５、ローパスフィルタ３９６、Ａ／Ｄ変換部３９７及びラッチ／バッファ３９８を有する。変倍処理手段３９は、多値デジタル画像信号Ｄｉｎと、クロック信号ｆに相当するクロック信号ｆ１、クロック信号ｆ２、クロック信号ｆ３、カットオフ信号ｆｃ１及びカットオフ信号ｆｃ２とが入力されて、多値デジタル画像信号Ｄｏｕｔ（多値デジタル画像信号Ｄｙ’）とそれに同期する信号であるクロック信号ｆ３を出力する。なお、変倍処理手段３９は、上述した機能構成を基板状に設けられたコンデンサやトランジスタなどの複数の電気素子で実現してもよいが、上述した機能構成を有する半導体集積回路（ＩＣ）で実現し、外部のノイズなどによる影響を少なくする構成であることが望ましい。
【００７４】
変倍処理手段３９では、入力された多値デジタル画像信号Ｄｉｎがラッチ／バッファ３９１でラッチされ、１周期が１画素分に相当するクロック信号ｆ１に応じた多値デジタル画像信号Ｄｉｎ１が密度変換部３９２に出力される。多値デジタル画像信号Ｄｉｎ１は、図７に示すように、１周期が１画素分に対応した値（レベル）の画像形成情報である多値デジタル信号である。
【００７５】
次いで、多値デジタル画像信号Ｄｉｎ１が入力された密度変換部３９２ではクロック信号ｆ１に対して２倍の周波数であるクロック信号ｆ２で多値デジタル画像信号Ｄｉｎ１が変換され、つまり、多値デジタル画像信号Ｄｉｎ１が倍の画素データに変換されて、多値デジタル画像信号Ｄｉｎ２としてＤ／Ａ変換部３９３に出力される。Ｄ／Ａ変換部３９３では多値デジタル画像信号Ｄｉｎ２がアナログ画像信号Ａｎ１に変換される。図７に示すように、多値デジタル画像信号Ｄｉｎ２は、多値デジタル画像信号Ｄｉｎ１の１画素分に対応したレベルに基づいて、１画素分の信号を２画素分に変換した信号である。また、図７に示すように、アナログ画像信号Ａｎ１は、多値デジタル画像信号Ｄｉｎ２の信号値に応じた平滑前のアナログ信号である。
【００７６】
ローパスフィルタ３９４は、入力されるアナログ画像信号Ａｎ１をクロック信号ｆ２〜クロック信号ｆ１程度のカットオフ信号ｆｃ１でフィルタし、図７に示すような平滑化したアナログ画像信号Ａｎ２を出力する。Ｓ／Ｈ部３９５は、図７に示すようにアナログ画像信号Ａｎ１をクロック信号ｆ３でホールドしたアナログ画像信号Ａｎ３を出力する。クロック信号ｆ３の周波数は、変倍率とクロック信号ｆ１の周波数とを元にＣＰＵ３５で算出されるものであり、変倍率をｍとした場合のクロック信号ｆ３の値はｆ３＝ｆ１＊ｍである。つまり、変倍処理手段３９では、アナログ画像信号Ａｎ３をクロック信号ｆ１に対してｍ倍のクロック信号ｆ３でホールドすることで、ｍ倍の変倍率で画像形成する際の画素データを抽出する構成である。
【００７７】
ローパスフィルタ３９６は、入力されるアナログ画像信号Ａｎ３をカットオフ信号ｆｃ２（クロック信号ｆ３）でフィルタし、図７に示すようなサンプルノイズを除去したアナログ画像信号Ａｎ４を出力する。Ａ／Ｄ変換部３９７は。入力されるアナログ画像信号Ａｎ４をＡ／Ｄ変換して図７に示すような多値デジタル画像信号Ｄｏｕｔ１を出力する。ラッチ／バッファ３９８は、入力される多値デジタル画像信号Ｄｏｕｔ１をラッチしてクロック信号ｆ３に応じた多値デジタル画像信号Ｄｏｕｔ（多値デジタル画像信号Ｄｙ’）として出力する。
【００７８】
図５に戻り、画像形成の制御に関する説明を進める。上述した変倍処理後の多値デジタル画像信号Ｄｙ’は書込みデータとなって、図４に示したレジスタアレイ６１Ｙ，ラッチ回路６２Ｙを通じてＬＥＤヘッド６３Ｙに供給される。多値デジタル画像信号Ｄｙ’は、ＬＥＤヘッド駆動電源Ｖｙに接続されたＬＥＤヘッド６３Ｙの通電期間（駆動電流）を制御し、変倍率に応じた画像を形成する。なお、この通電制御によって、多値デジタル画像信号Ｄｙ’の値に基づいた発光ドット径の縮小又は拡大を行い、画像を形成する際の階調調整を行う。
【００７９】
次に、制御手段１５が制御して行うカラー複写機１００の動作（画像形成）について説明する。図８に示すように、カラー複写機１００の動作は、制御手段１５が各部を制御して行うステップＡ１〜Ａ１３の各処理から成る。
【００８０】
図８に示すように、制御手段１５は、通信手段１９を経由した他のコンピュータからのプリント要求や操作パネル４８からの操作指示によるプリント／コピー等の画像形成要求があるか否かを判定して、その要求がなされるまでの間は待機する（ステップＡ１）。
【００８１】
制御手段１５は、画像形成要求がなされた場合（ステップＡ１：Ｙ）、通信手段１９を経由した通信や操作パネル４８の入力操作に基づいてその要求に係る画像形成条件の入力を受け付けて、その情報をＲＡＭ３４などへ格納する（ステップＡ２）。なお、プリント要求／コピー要求に基づく処理はほぼ同一であり、コピー要求に基づく処理に画像読取処理を含むことが相違するだけであるため、以下の説明ではコピー要求に関する処理についてのみを行い、プリント要求については省略する。
【００８２】
次いで、制御手段１５は、操作パネル４８などから処理のスタート／ストップのいずれが指示されているかを判定し（ステップＡ３）、スタートが指示されている場合は画像入力手段１１から画像を読み取る画像読取処理を行い（ステップＡ４）、両面又は片面のいずれの画像形成モードであるかを判定する（ステップＡ５）。
【００８３】
制御手段１５は、ステップＡ５で両面モードであると判定した場合、読み取られた画像データに対して、記録媒体Ｐにおける画像形成面（表面／裏面）毎にステップＡ２で設定された画像形成条件に基づいて、前述した画像処理手段３１での画像処理（変倍処理）を行い（ステップＡ６）、記録媒体Ｐの両面に対して前述した多値デジタル画像信号Ｄｏｕｔ（多値デジタル画像信号Ｄｙ’）に基づいた画像形成を表面／裏面毎に行う（ステップＡ７）。
【００８４】
次いで、制御手段１５は、裏面への画像形成の判定処理（ステップＡ８）と最終ページへの画像形成の有無を判定する判定処理（ステップＡ９）とを行い、表面と裏面への画像形成を最終ページまで行い、次の処理に関する指示があるか否かなどの処理の終了の有無を判定する（ステップＡ１３）。次いで、制御手段１５は、最終ページへの画像形成の判定処理を行って（ステップＡ１２）最終ページまで片面での画像形成を行い、次の処理に関する指示があるか否かなどの処理の終了の有無を判定する（ステップＡ１３）。
【００８５】
以上のように、カラー複写機１００は、入力操作手段１４などから画像に係る変倍率を設定し、画像処理手段３１において画像入力手段１１などから入力される多値デジタル画像信号Ｄｉｎをアナログ画像信号に変換し、その設定された変倍率に基づいたサンプリング周波数で再サンプリングしてデジタル変換して得られる変倍率に応じた多値デジタル画像信号を元に、画像形成手段６０で画像形成する構成である。
【００８６】
このため、カラー複写機１００は、アナログ画像信号での変倍により隣接画素間のデータの連続性を確保して変倍を行うことができるため、ノイズ感や画像荒れの発生を抑えた再現性の良い画像を出力することができる。
【００８７】
具体的には、カラー複写機１００は、図９（ａ）に示すような変倍処理を行う前の多値デジタル画像信号（図７に示す多値デジタル画像信号Ｄｉｎなど）で記録媒体Ｐ１に形成した場合の画像に対して、図９（ｂ）に示すような変倍処理後の多値デジタル画像信号（図７に示す多値デジタル画像信号Ｄｏｕｔ１など）で記録媒体Ｐ２に形成した場合の画像のように、微小変倍時の画像形成をノイズ感や画像荒れの発生を抑えて再現性よくおこなうことができる。
【００８８】
また、カラー複写機１００は、変倍処理手段３９を半導体集積回路で構成するため、外部のノイズなどによる変倍処理への影響を低減することができる。
【００８９】
なお、本実施の形態における記述は、本発明の一例を示すものであり、これに限定するものではない。本実施の形態におけるカラー複写機１００の構成及び動作に関しては、本発明の趣旨を逸脱しない範囲で適宜変更が可能である。
【００９０】
例えば、カラー複写機１００は、画像処理手段３１において画像入力手段１１などから入力される多値デジタル画像信号Ｄｉｎをアナログ画像信号に変換し、入力操作手段１４などで設定された変倍率に基づいたサンプリング周波数で再サンプリングしてデジタル変換して得られる変倍率に応じた多値デジタル画像信号を通信手段１９などから他の情報機器へ出力してもよい。つまり、カラー複写機１００は、変倍に関しての画像処理装置であってもよい。
【図面の簡単な説明】
【００９１】
【図１】本発明であるカラー複写機１００の内部構成を示す外観図である。
【図２】ＬＥＤ書き込みユニット３Ｙ及びその周辺回路の構成を例示する斜視図である。
【図３】カラー複写機１００の制御系の構成を模式的に示すブロック図である。
【図４】Ｙ、Ｍ、Ｃ、ＢＫ各色用の各々の書き込みユニット及びその周辺回路の構成を例示するブロック図である。
【図５】Ｙ色系の画像移入力及びＬＥＤ書き込みユニット３Ｙの制御例を示すブロック図である。
【図６】変倍処理手段３９の機能的構成を模式的に示すブロック図である。
【図７】変倍処理手段３９での画像信号の変換過程を例示する概念図である。
【図８】カラー複写機１００の動作を例示するフローチャートである。
【図９】（ａ）は、変倍処理を行わない場合のデジタル画像信号で画像形成した記録媒体Ｐ１の表面を例示する概念図であり、（ｂ）は、変倍処理を行った場合のデジタル画像信号で画像形成した記録媒体Ｐ２の表面を例示する概念図である。
【符号の説明】
【００９２】
１００  カラー複写機（画像処理装置）
１Ｙ、１Ｍ、１Ｃ、１Ｋ  感光体ドラム
２Ｙ、２Ｍ、２Ｃ、２Ｋ  帯電手段
３Ｙ、３Ｍ、３Ｃ、３Ｋ  ＬＥＤ書き込みユニット
４Ｙ、４Ｍ、４Ｃ、４Ｋ  現像手段
６  中間転写体
７Ａ  ２次転写ローラ
７Ｙ、７Ｍ、７Ｃ、７Ｋ  １次転写ローラ
８Ａ、８Ｙ、８Ｍ、８Ｃ、８Ｋ  クリーニング手段
１０Ｙ、１０Ｍ、１０Ｃ、１０Ｋ  画像形成ユニット
１１  画像入力手段
１４  入力操作手段
１５  制御手段
１７  定着装置
１８  表示手段
１９  通信手段
２０  給紙手段
２０Ａ、２０Ｂ、２０Ｃ  給紙カセット
２１  送り出しローラ
２２Ａ  給紙ローラ
２２Ｂ、２２Ｃ、２２Ｄ  搬送ローラ
２３  レジストローラ
２４  排紙ローラ
２５  排紙トレイ
２６  分岐手段
２７Ａ  循環通紙路
２７Ｂ  反転搬送路
２７Ｃ  再給紙搬送部
２８  制御バス
２９  データバス
３０  原稿
３１  画像処理手段
３２  不揮発メモリ
３２１  紙種別変倍情報
３３  ＲＯＭ
３４  ＲＡＭ
３４１  情報履歴格納領域
３５  ＣＰＵ
３６  画像メモリ
３７  領域判別手段
３８  タイミング発生回路
３９  変倍処理手段
３９１、３９８  ラッチ／バッファ
３９２  密度変換部
３９３  Ｄ／Ａ変換部
３９４、３９６  ローパスフィルタ
３９５  Ｓ／Ｈ部
３９７  Ａ／Ｄ変換部
４０  ＡＤＦ
４１  原稿載置部
４２ａ、４２ｂ、４３  ローラ
４４  搬送ローラ
４６  排紙皿
４８  操作パネル
５１  第１のプラテンガラス
５２  第２のプラテンガラス
５３  光源
５４、５５、５６  ミラー
５７  結像光学部
５８  イメージセンサ
６０  画像形成手段
６１Ｙ、６１Ｍ、６１Ｃ、６１Ｋ  レジスタアレイ
６２Ｙ、６２Ｍ、６２Ｃ、６２Ｋ  ラッチ回路
６３Ｙ、６３Ｍ、６３Ｃ、６３Ｋ  ＬＥＤヘッド
６４Ｙ  ＩＣ実装基板
１０１  複写機本体
Ａｎ１、Ａｎ２、Ａｎ３、Ａｎ４  アナログ画像信号
Ｄｉｎ、Ｄｉｎ１、Ｄｉｎ２、Ｄｏｕｔ、Ｄｏｕｔ１  多値デジタル画像信号
Ｄｉｎ’、Ｄｏｕｔ’  プリントデータ
Ｄ２  表示データ
Ｄ３  操作データ
Ｄｙ、Ｄｍ、Ｄｃ、Ｄｋ  多値デジタル画像信号
Ｄｙ’  ＬＥＤ書込み用信号
ｆ、ｆ１、ｆ２、ｆ３  クロック信号
ｆｃ１、ｆｃ２  カットオフ信号
Ｐ、Ｐ１、Ｐ２  記録媒体
ＰＬＬ  可変周波数発振器
Ｓ１  読取制御信号
Ｓ２  メモリ制御信号
Ｓ３  画像処理制御信号
Ｓ４  作像制御信号
Ｓ５  給紙制御信号
Ｓ６  タイミング発生制御信号
ＳＲｙ、ＳＲｍ、ＳＲｃ、ＳＲｋ  レジスタ制御信号
ＳＬｙ、ＳＬｍ、ＳＬｃ、ＳＬｋ  ラッチ制御信号
Ｓｏｕｔ  画像読取信号
Ｖｙ、Ｖｍ、Ｖｃ、Ｖｋ  ＬＥＤヘッド駆動電源
【図１】
2007295486.tif 000004
【図２】
2007295486.tif 000005
【図３】
2007295486.tif 000006
【図４】
2007295486.tif 000007
【図５】
2007295486.tif 000008
【図６】
2007295486.tif 000009
【図７】
2007295486.tif 000010
【図８】
2007295486.tif 000011
【図９】
2007295486.tif 000012